(57)【要約】【課題】天井据付機器を容易かつ迅速に取り付けできる天井据付機器用支持具およびこれを用いた据付方法を提供する。【解決手段】野縁３、４に対する支持部材１４の任意の係止位置で、支持部材１４に取り付けられた係止具１５を上方から単に押し込むだけで、支持部材１４を野縁３、４に係止できるので、天井据付機器９を容易かつ迅速に取り付けることができる。また、従来のように天井スラブや野縁受け材１に依らずこれと別個独立に野縁３、４のみを用いた支持具１０により、天井据付機器９を取り付けできるので、内装設計の自由度も高くなる。【選択図】　　　　図２
2004044243.tif 000002
【特許請求の範囲】
【請求項１】
平行に配置された野縁間に掛け渡され、天井据付機器を支持する支持部材と、この支持部材の両端に取り付けられて、支持部材を野縁に係止する係止具とからなり、野縁に対する支持部材の任意の係止位置で天井据付機器を支持するのに用いられる天井据付機器用支持具であって、
前記係止具は、前記支持部材に一端が取り付けられて下方に延びる少なくとも一対の脚部を有し、この脚部は、支持部材の長手方向の進出位置と後退位置に移動自在で、下部にそれぞれ外方へ突出する凸部が設けられており、この凸部が前記任意の係止位置においてその上方から野縁の開口に挿入されるときに後退位置に移動して、その挿入を許し、挿入された状態で進出位置に移動して、野縁の開口内面で係止される天井据付機器用支持具。
【請求項２】
請求項１において、
前記係止具は、前記支持部材の長手方向に並ぶ４本の脚をもち、このうち内側の２本の脚からなり、幅狭の野縁に係止される第１対の脚部と、その両外側に位置する２本の脚からなり、幅広の野縁に係止される第２対の脚部とを有している天井据付機器用支持具。
【請求項３】
請求項２において、
前記係止具は、線材または板材を折り曲げてなる天井据付機器用支持具。
【請求項４】
請求項３において、
前記第１対の脚部の両脚間に設けられて、前記野縁と前記係止具との係止をロックするロック部を有し、
前記係止具は、さらに、第１対の脚部と第２対の脚部の相隣り合う脚同士をそれぞれ一定間隔を維持して連結する連結部を有し、
前記ロック部は、幅狭の野縁と前記係止具との係止を第１対の脚部の凸部を外方に押圧してロックし、幅広の野縁と前記係止具との係止を、第１対の脚部の凸部の押圧により、連結された第１対の脚部と第２対の脚部が連動して第２対の脚部の凸部を外方に押圧してロックする天井据付機器用支持具。
【請求項５】
請求項３において、
前記第１対の脚部の両脚間に設けられて、前記野縁と前記係止具との係止をロックするロック部を有し、
前記係止具は、さらに、第１対の脚部の各脚に互いに外方へ突出する突出部が設けられ、第２対の脚部の各脚に互いに内方へ突出する突出部が設けられて、第１対の脚部と第２対の脚部の相隣り合う脚同士がそれぞれ接触する脚接触部を有し、
前記ロック部は、幅狭の野縁と前記係止具との係止を第１対の脚部の凸部を外方に押圧してロックし、幅広の野縁と前記係止具との係止を、第１対の脚部の凸部の押圧により、接触した第１対の脚部と第２対の脚部が連動して第２対の脚部の凸部を外方に押圧してロックする天井据付機器用支持具。
【請求項６】
請求項３において、
前記第１対の脚部の両脚間に設けられて、前記野縁と前記係止具との係止をロックするロック部を有し、
前記係止具は、さらに、第１対の脚部と第２対の脚部の相隣り合う脚の間に挿入されて、相隣る脚にそれぞれ接触して第１対の脚部と第２対の脚部を連動させる挿入接触部を有し、
前記ロック部は、幅狭の野縁と前記係止具との係止を第１対の脚部の凸部を外方に押圧してロックし、幅広の野縁と前記係止具との係止を、第１対の脚部の凸部の押圧により、第１対の脚部と第２対の脚部が連動して第２対の脚部の凸部を外方に押圧してロックする天井据付機器用支持具。
【請求項７】
請求項１から６の天井据付機器用支持具のいずれか１つを用いた天井据付機器の据付方法。
【発明の詳細な説明】
【０００１】
【発明の属する技術分野】
本発明は、主としてビルディングなどの鉄筋コンクリートまたは鉄骨の建造物の事務所や店舗などの天井に据え付けられる照明器具や案内表示板などの天井据付機器を支持する支持具に関する。
【０００２】
【従来の技術】
従来から、この種の照明器具や案内表示板を天井に吊り下げる方法としては、以下の方法が知られている。（１）建造物のコンクリート型枠の所定位置にインサートスタットを取り付け、コンクリート打設後に、全ねじボルトを所定長さに切りそろえて各種の器具を取り付ける。（２）コンクリート打設後に、アンカードリルで孔を明け、アンカーボルトを差し込んで各種の器具を取り付ける。（３）野縁受け材（Ｃバー）に取り付ける各種の支持金具を利用して、各種の機器を取り付ける。
【０００３】
【発明が解決しようとする課題】
従来の（１）、（２）の方法は、現場での作業工数が多く、また位置出しが容易でなく、作業に時間と手間がかかる。また、従来の（３）の方法は、野縁受け材に取り付けるための支持金具の部品点数が多くなり、構成が複雑でその分、多くの手間と費用がかかる。
【０００４】
本発明は、前記の問題点を解決して、天井据付機器を容易かつ迅速に取り付けできる天井据付機器用支持具およびこれを用いた据付方法を提供することを目的としている。
【０００５】
【課題を解決するための手段】
前記目的を達成するために、本発明にかかる天井据付機器用支持具は、平行に配置された野縁間に掛け渡されて、天井据付機器を支持する支持部材と、この支持部材を野縁に係止する係止具とからなり、野縁に対する支持部材の任意の係止位置で天井据付機器を支持するのに用いられる天井据付機器用支持具であって、前記係止具は、前記支持部材に一端が取り付けられて下方に延びる少なくとも一対の脚部を有し、この脚部は、支持部材の長手方向の進出位置と後退位置に移動自在で、下部に互いに外方へ突出する凸部が設けられており、この凸部が前記任意の係止位置においてその上方から野縁の開口に挿入されるときに後退位置に移動して、その挿入を許し、挿入された状態で進出位置に移動して、野縁の開口内面で係止される。
【０００６】
この構成によれば、野縁に対する支持部材の任意の係止位置で、支持部材に取り付けられた係止具を上方から単に押し込むだけで、支持部材を野縁に係止できるので、天井据付機器を容易かつ迅速に取り付けることができる。また、従来のように天井スラブや野縁受け材に依らずこれと別個独立に野縁のみを用いた支持具により、天井据付機器を取り付けできるので、内装設計の自由度も高くなる。
【０００７】
好ましくは、前記係止具は、前記支持部材の長手方向に並ぶ４本の脚をもち、このうち内側の２本の脚からなり、幅狭の野縁に係止される第１対の脚部と、その両外側に位置する２本の脚からなり、幅広の野縁に係止される第２対の脚部とを有している。したがって、係止具を幅狭の野縁と幅広の野縁に共用できる。
【０００８】
好ましくは、前記係止具は、線材または板材を折り曲げてなる。したがって、従来のように、天井スラブや野縁受け材を用いた大掛かりな支持ではなく、本発明の支持具は、係止具が簡便な材料からなり、また支持部材を少なくとも天井据付機器を支持し得るような簡便な材料で構成することにより、低コスト化が可能となる。
【０００９】
好ましくは、前記第１対の脚部の両脚間に設けられて、前記野縁と前記係止具との係止をロックするロック部を有し、前記係止具は、さらに、第１対の脚部と第２対の脚部の相隣り合う脚同士をそれぞれ一定間隔を維持して連結する連結部を有し、前記ロック部は、幅狭の野縁と前記係止具との係止を第１対の脚部の凸部を外方に押圧してロックし、幅広の野縁と前記係止具との係止を、第１対の脚部の凸部の押圧により、連結された第１対の脚部と第２対の脚部が連動して第２対の脚部の凸部を外方に押圧してロックする。したがって、支持部材と野縁の係止を確実にすることができる。
【００１０】
好ましくは、前記第１対の脚部の両脚間に設けられて、前記野縁と前記係止具との係止をロックするロック部を有し、前記係止具は、さらに、第１対の脚部の各脚に互いに外方へ突出する突出部が設けられ、第２対の脚部の各脚に互いに内方へ突出する突出部が設けられて、第１対の脚部と第２対の脚部の相隣り合う脚同士がそれぞれ接触する接触部を有し、前記ロック部は、幅狭の野縁と前記係止具との係止を第１対の脚部の凸部を外方に押圧してロックし、幅広の野縁と前記係止具との係止を、第１対の脚部の凸部の押圧により、接触した第１対の脚部と第２対の脚部が連動して第２対の脚部の凸部を外方に押圧してロックする。したがって、支持部材と野縁の係止を確実にすることができる。
【００１１】
好ましくは、前記第１対の脚部の両脚間に設けられて、前記野縁と前記係止具との係止をロックするロック部を有し、前記係止具は、さらに、第１対の脚部と第２対の脚部の相隣り合う脚の間に挿入されて、相隣る脚にそれぞれ接触して第１対の脚部と第２対の脚部を連動させる挿入連動部を有し、前記ロック部は、幅狭の野縁と前記係止具との係止を第１対の脚部の凸部を外方に押圧してロックし、幅広の野縁と前記係止具との係止を、第１対の脚部の凸部の押圧により、第１対の脚部と第２対の脚部が連動して第２対の脚部の凸部を外方に押圧してロックする。したがって、支持部材と野縁の係止を確実にすることができる。
【００１２】
本発明にかかる天井据付機器用支持具を用いた天井据付機器の据付方法は、前記支持具を用いて天井据付機器を据え付けるので、天井据付機器を容易かつ迅速に据付できる。
【００１３】
【発明の実施の形態】
以下、本発明の実施形態を図面にしたがって説明する。
図１は、本発明の第１実施形態に係る照明器具支持具（天井据付機器用支持具の一種）の取付状態を示す上方からの斜視図である。同図において、天井スラブ（図示せず）には、軽量鉄骨からなる複数本の野縁受け材（Ｃバー）１が水平状態で所定のピッチＰ１（一般に９００ｍｍ）に配して多数本の吊りボルト２を介して吊り下げられている。この各野縁受け材１には、軽量鉄骨からなる複数の野縁（Ｍバー）３、４が野縁受け材１に対し直交した水平状態で所定のピッチＰ２（一般に３００ｍｍ）に配して取り付けられ、さらに、野縁３、４に天井材としての天井仕上材７が取り付けられている。
【００１４】
図１の野縁３、４としては、天井仕上材７を固定するだけの小さな幅Ｗ１（例えば２５ｍｍ）の野縁３と、隣接する２枚の天井仕上材７を突き合わせて共に固定するための大きな幅Ｗ２（例えば５０ｍｍ）の野縁４との２種類が用いられる。野縁３、４は、その開口３ａ、４ａの両端にそれぞれ内方に向けて斜め下方へ突出する略Ｍ字形の突起部３ｂ、４ｂを備えている。
【００１５】
図２に示すように、天井仕上材７の所定箇所には取付用開口８が形成されて、この開口８に例えば内部に蛍光灯などの照明用管球Ｌが取り付けられた照明器具のような天井据付機器９が嵌め込んで取り付けられている。
【００１６】
本発明の照明器具用支持具１０は、平行に配置された野縁３、４に対してほぼ直交する方向に延びて、この野縁３、４間に掛け渡され、照明器具９を支持する支持部材１４と、この支持部材１４の両端に取り付けられて、支持部材１４を野縁３、４に係止する係止具１５とを備えている。
【００１７】
図３に示すように、上記支持部材１４は、断面がコの字状の形状を有しており、アルミニウム、鉄またはプラスチックのような板材からなる。この例では開口部１４ｂを下にした下向きに使用される。支持部材１４の基部１４ａには、下方の照明器具９を吊る吊りボルト１６が挿入される複数の長孔１７が設けられている。また、両端の上部には、係止具１５の一端が取り付けられる複数の溝１８が設けられている。この溝１８のピッチは、上記野縁３、４の幅Ｗ１、Ｗ２に対応する。この例では、左右の係止具１５は互いに逆向き、つまり、支持部材１４の鉛直な中心線の回りに線対称となる向きに取り付けられている。
【００１８】
上記係止具１５は、例えば、１本の針金のような線材を折り曲げられてなり、支持部材１４の長手方向Ｘに並ぶ４本の第１〜４脚２３〜２６をもつ。これらの第１〜４脚２３〜２６は、曲げ変形による弾性力を有しており、支持部材１４の長手方向Ｘの進出位置と後退位置に移動自在である。第１〜４脚２３〜２６はその下部にそれぞれ外方へ、つまり図３において、第１、２脚２３、２４は左方へ、第３、４脚２５、２６は右方へ突出する凸部２３ａ〜２６ａを有する。
【００１９】
また、この係止具１５を支持部材１４に取り付けるために、例えば、第１脚２３と第２脚２４の下部間に支持部材１４の底部と下側縁部に取り付けられるＬ字形の下取付部２７、第２脚２４と第３脚２５の上部間に支持部材１４の上面部（基部）と上側縁部に取り付けられるＬ字形の上取付部２８、第３脚２５と第４脚２６の下部間に下取付部２７が形成され、第１脚２３と第４脚２６の上部にも端取付部２９が形成されている。第２脚２４と第３脚２５とで第１対の脚部２１を構成し、第１脚２３と第４脚２６とで第２対の脚部２２を構成する。第２脚２４の凸部２４ａと第３脚２５の凸部２５ａとで第１の凸部２１ａを構成し、第１脚２３の凸部２３ａと第４脚２６の凸部２６ａとで第２の凸部２２ａを構成する。
【００２０】
上記脚部２１、２２の凸部２３ａ〜２６ａは、野縁３、４に対する支持部材１４の任意の係止位置においてその上方から野縁３、４の開口３ａ、４ａに挿入されるときに、突起部３ｂ、４ｂに当接すると上記弾性力により後退位置、つまり第１の凸部２１ａの凸部２４ａと凸部２５ａ、または第２の凸部２２ａの凸部２３ａと凸部２６ａがそれぞれ互いに近付くように（内方へ）移動して、その挿入を許し、挿入された状態で突起部３ｂ、４ｂを越えると上記弾性力により進出位置、つまり上記凸部２４ａと凸部２５ａまたは凸部２３ａと凸部２６ａがそれぞれ互いに遠ざかるように（外方へ）移動して、野縁３、４の開口３ａ、４ａの突起部３ｂ、４ｂの内面で係止される。第１の凸部２１ａが幅狭の野縁３に、第２の凸部２２ａが幅広の野縁４に係止される。
【００２１】
一般に、この建築内装に用いられる野縁３、４のピッチＰ２は正確でない場合が多いが、各脚２３〜２６は、上記弾性力により支持部材１４の長手方向Ｘに移動可能なので、野縁３、４に支持部材１４を取り付ける際に、野縁３、４のピッチ誤差に対応可能となる。
【００２２】
図４に、上記支持具１０を野縁３、４に取り付けて照明器具９を据え付ける方法を示す。
まず、野縁３、４に対する支持部材１４の任意の係止位置において、幅広の野縁４に対し、支持部材１４の片側に取り付けられた係止具１５における第２対の脚部２２の第２の凸部２２ａを、その上方から野縁４の開口４ａに挿入すると、突起部４ｂに当たり、さらに押し込むと、各脚２３、２４の弾性力により、各凸部２２ａがそれぞれ内方へ後退して挿入され、突起部４ｂを越えると、各凸部２２ａがそれぞれ外方へ進出して突起部４ｂの内面で係止される。
【００２３】
つぎに、野縁４に支持部材１４が係止された状態で、野縁３において、第１対の脚部２１の第１の凸部２１ａを上方から野縁３の開口３ａに挿入すると、同様に、各凸部２１ａがそれぞれ内方へ後退して挿入され、突起部３ｂを越えると、各凸部２１ａがそれぞれ外方へ進出して突起部３ｂの内面で係止される。なお、係止具１５の両端ともに第１対の脚部２１の第１の凸部２１ａを用いて野縁３、３を、また係止具１５の両端ともに第２対の脚部２２の第２の凸部２２ａを用いて野縁４、４を係止するようにしてもよい。
【００２４】
こうして、第１の脚部２１、第２の脚部２２の凸部２１ａ、２２ａがそれぞれ野縁３、４の突起部３ａ、３ｂに係止されて、支持部材１４が野縁３、４に取り付けられる。この支持部材１４に支持された吊りボルト１６により、照明器具９が吊られて、天井に据え付けられる。これにより、野縁３、４に対する支持部材１４の任意の係止位置において、照明器具９を容易かつ迅速に取り付けできる。また、従来のように天井スラブや野縁受け材１に依らず、これと別個独立に野縁３、４のみを用いた支持具１０により、照明器具９を取り付けできるので、内装設計の自由度も高くなる。さらに、支持具１０を構成する支持部材１４はアルミニウムなどの一般的な板材からなり、係止具１５は針金などの線材からなるので、低コスト化が可能となる。
【００２５】
なお、図５に示すように、コの字状の支持部材１４の開口部１４ｂを上にした上向きにしてもよい。この場合、支持部材１４の基部１４ａと照明器具９間の距離を短くでき、短い吊りボルト１６を用いることができる。
【００２６】
次に、第１実施形態において、上記支持具１０の支持部材１４と野縁３、４の係止をロックするロック部を設けた場合について説明する。
図６に示すように、ロック部３０は、前記第１対の脚部２１の両脚２４、２５間で、支持部材１４の基部１４ａに設けられたロック用開口３１に挿入されるもので、頭部３５と下端の膨出部３６を有する本体３７と、本体３７を保持する保持部３８とからなる。一方、このロック部３０を野縁３、４に共用するように、支持部材１４に取り付けられた係止具１５は、第１対の脚部２１と第２対の脚部２２の相隣り合う脚同士２３と２４、２５と２６をそれぞれ一定間隔を維持して連結する連動用の連結部３２，３２を有する。連結部３２の対向部分には、下方に移動した膨出部３６が当接するように、それぞれ内方に突出する突出部３４が設けられている。連結部３２同士も連結片３３により連結される。
【００２７】
保持部３８は一対のアーム部からなり、各アーム部は、本体３７の側部に長さが短い第１アーム４１が一体成形されて、材料自身の柔軟性により連結部Ｃ１の回りに回動変形可能になっている。この第１のアーム４１にこれより長い第２アーム４２が同様に一体成形され、連結部Ｃ２の回りに回動変形可能になっている。第２アーム４２の先端に引掛部４３が設けられ、この引掛部４３は、アーム部が本体３７の側部に近付けられて折り畳まれた状態で、係止具１５の第２、３脚２４、２５間における基部１４ａ上に位置する上取付部２８（図７（ａ））に引っ掛けて本体３７を吊り下げる。膨出部３６は、本体３７の下方への移動により、上記連結部３２間に挿入されて、その突出部３４に接触して、連結部３２を外方に押圧してロックする。また、本体３７の頭部３５の両側には凹部３９が設けられ、第２アーム４２の先端の引掛部４３の反対側に設けられた凸部４４が設けられており、上記ロックの際、この凹部３９に凸部４４が嵌合して、保持部３８もロックされる。
【００２８】
以下、図７に基づいて、ロック部３０の組立手順とその動作を説明する。
まず、（ａ）のように、保持部３８のアーム部を折り畳み、（ｂ）のようにアーム部を折り畳んだ状態で、本体３７を支持部材１４のロック用開口３１へ挿入する。次いで（ｃ）のように、引掛部４３を係止具１５の上取付部２８に係止させて、本体３７を吊り下げる。こうしてロック部３０は予め支持具１０に組み立てられる。この状態で、支持具１０を現場に持ち込み、幅狭の野縁３に対しては、（ｄ）のように、係止具１５により支持部材１４を野縁３に取り付けた状態で、本体３７を下方に移動させ、膨出部３８が各連結部３２の突出部３４をそれぞれ外方に押圧し、第１対の脚部２１の凸部２１ａをそれぞれ外方に押圧してロックする。このとき、頭部３５の凹部３９に第２アーム４２の凸部４４が嵌合して、保持部３８もロックされる。
【００２９】
（ｅ）のように、幅広の野縁４に対しては、上記（ｄ）における第１対の脚部２１の凸部２１ａの押圧により、連結部３２により連結された第１対の脚部２１と第２対の脚部２２が連動して第２対の脚部２２の凸部２２ａを外方に押圧し、幅広の野縁４との係止をロックする。
このように、ロック部３０により、支持部材１４と野縁３、４の係止を確実にすることができる。
【００３０】
図８は、本発明の第２実施形態に係る照明器具支持具の取付状態を示す上方からの斜視図である。この第２実施形態では、支持部材１４と野縁３、４の係止をロックするロック部３０Ａを有するものを示しており、第１実施形態とは、支持部材１４の両端に取り付けられる係止具１５Ａの構成が異なり、ロック部３０Ａの構成も異なる。その他の構成は第１実施形態と同様である。
【００３１】
この第２実施形態の係止具１５Ａは、１枚の板材をコの字状でツイスト状に折り曲げた部品６０、６０の２つからなり、そのそれぞれの基部６０ａが、支持部材１４の長手方向Ｘに沿って支持部材１４の基部１４ａの裏面に接合されて、長手方向Ｘに並ぶ４本の第１〜４脚６３〜６６をもつ。係止具１５Ａの板材としては、アルミニウム、鉄またはプラスチックのような材料が用いられ、支持部材１４と係止具１５Ａは、例えばスポット溶接、接着剤またはねじ止め等により接合される。第１〜４脚６３〜６６は、曲げ変形による弾性力を有しており、支持部材１４の長手方向の進出位置と後退位置に移動自在である。第１〜４脚６３〜６６はその下部にそれぞれ外方へ突出する凸部６３ａ〜６６ａを有し、またその中間部に第２、３脚６４、６５はそれぞれ外方へ突出する突出部６４ｂ、６５ｂを有し、第１、４脚６３、６６はそれぞれ内方へ突出する突出部６３ｂ、６６ｂを有している。すなわち、第２実施形態の係止具１５Ａは、第１実施形態のように、第１対の脚部と第２対の脚部を連結して連動する連結部を設けるのと異なり、第１対の脚部と第２対の脚部の相隣り合う脚同士６３と６４、６５と６６がそれぞれ接触して連動する脚接触部６２を有する。
【００３２】
また、ロック部３０Ａは、第１実施形態のような保持部を有さず、図９（ａ）に示すように、頭部５５と下端の膨出部５６を有する本体５７からなる。本体５７には、本体５７が上方へ抜けるのを阻止する抜け止め５１が設けられている。膨出部５６には、その両側に突出部５８が設けられている。（ｂ）のように、本体５７の下方への移動により、第１対の脚部の両脚６４、６５間に挿入されて、（ｃ）のように、これに接触し、（ｄ）のように、両脚６４、６５をそれぞれ外方に押圧する。この際、膨出部５６の突出部５８がそれぞれ第１対の脚部の両脚６４、６５の凸部６４ａ、６５ａの上部傾斜部分に当接してロックする。これにより、上記と同様に、幅狭の野縁３との係止をロックする。なお、幅広の野縁４に対しても同様に、第１対の脚部の凸部６４ａ、６５ａの押圧により、上記脚接触部６２により接触した第１対の脚部と第２対の脚部が連動して第２対の脚部の凸部６３ａ、６６ａを外方に押圧し、幅広の野縁４との係止をロックする。
【００３３】
なお、この実施形態ではロック部３０Ａを設けているが、ロック部３０Ａを省略してもよい。
【００３４】
図１０は、第２実施形態の変形例に係るロック部３０Ｂを示す。（ａ）に示すように、このロック部３０Ｂは、頭部７５を有する本体７７と、本体７７を保持するとともに下端で外方に突出する保持・突出部７８とからなる。この保持・突出部７８は、一対のアーム部からなり、各アーム部は、本体７７の下端に長さが短い一対の第１アーム７１、７１が一体成形されて、材料自身の柔軟性により連結部Ｃ３の回りに回動変形可能になっている。この第１アーム７１、７１にこれより長い第２アーム７２、７２がそれぞれ同様に一体成形され、連結部Ｃ４の回りに回動変形可能になっている。本体７７が下方へ移動すると、連結部Ｃ４がそれぞれ外方へ突出するようになっている。第２アーム７２の先端に引掛部４３Ｂが設けられ、この引掛部４３Ｂは、アーム部が本体７７の側部に近付けられて折り畳まれた状態で、支持部材１４におけるロック用開口３１近傍の上縁に引っ掛けて本体７７を吊り下げる。また、本体７７の頭部７５の両側には凹部３９Ｂが設けられ、第２アーム７２の先端の引掛部４３Ｂの反対側に設けられた凸部４４Ｂが設けられており、上記ロックの際、この凹部３９Ｂに凸部４４Ｂが嵌合して、保持・突出部７８もロックされる。
【００３５】
まず、組立手順としては、（ｂ）のように、保持・突出部７８のアーム部を折り畳んだ状態で、本体７７を支持部材１４のロック用開口３１へ挿入する。そののち、（ｃ）のように、引掛部４３Ｂを支持部材１４の上縁に当接させて、本体７７を吊り下げる。こうしてロック部３０Ｂは予め支持具１０に組み立てられる。この状態で、幅狭の野縁３に対しては、（ｄ）のように、係止具１５Ａにより支持部材１４を野縁３に取り付けた状態で、上記連結部Ｃ４は、本体７７の下方への移動により、上記第１対の脚部の両脚６４、６５間に挿入されて接触して、外方に押圧する。（ｅ）のように、さらに、本体７７を下方へ移動させることにより、第１対の脚部の凸部６４ａ、６５ａをそれぞれ外方に押圧してロックする。このとき、頭部７５の凹部３９Ｂに第２アーム７２の凸部４４Ｂが嵌合して、保持・突出部７８もロックされる。これにより、上記と同様に、幅狭の野縁３との係止をロックする。なお、幅広の野縁４に対しても同様に、第１対の脚部の凸部６４ａ、６５ａの押圧により、上記脚接触部６２により接触した第１対の脚部と第２対の脚部が連動して第２対の脚部の凸部６３ａ、６６ａを外方に押圧し、幅広の野縁４との係止をロックする。
【００３６】
図１１は、本発明の第３実施形態に係る照明器具支持具の係止具を示す斜視図である。この第３実施形態では、支持部材１４と野縁３、４の係止をロックするロック部３０Ｃを有するものを示しており、第２実施形態とは、支持部材の両端に取り付けられる係止具１５Ｂの構成が異なり、ロック部３０Ｃの構成も異なる。その他の構成は第１実施形態と同様である。
【００３７】
図１１（ａ）に示すように、第３実施形態では、係止具１５Ｂは１枚の板材をコの字状に折り曲げた部品８０、８０の２つからなり、長手方向Ｘに並ぶ４本の第１〜４脚８３〜８６をもつ。この第１〜４脚８３〜８６は、その下部にそれぞれ外方へ突出する凸部８３ａ〜８６ａを有するが、その中間部は第２実施形態のツイスト状と異なり、ストレート状になっている。
【００３８】
ロック部３０Ｃは、第１対の脚部の両脚８４、８５間で、支持部材１４の基部１４ａに設けられたロック用開口３１（図１１（ｂ））に挿入されるもので、頭部７５を有する本体７７と、本体７７を保持するとともに下端で外方に突出する保持・突出部７８とからなる。一方、このロック部３０Ｃを野縁３、４に共用するように、支持部材１４に取り付けられた係止具１５Ｂは、第１対の脚部と第２対の脚部の相隣り合う脚同士８３と８４、８５と８６間に挿入されて、それぞれ一定間隔を維持するとともに、相隣り合う脚８３〜８６に接触して連動させる挿入接触部８２、８２を有する。この挿入接触部８２は、例えばコの字状の係止具８０の基部８０ａの裏面から円柱状のものが吊り下げられてなる。
【００３９】
図１１（ａ）に示すように、ロック部３０Ｃの保持・突出部７８は、一対のアーム部からなり、各アーム部は、本体７７の下端に長さが短い一対の第１アーム７１、７１が一体成形されて、材料自身の柔軟性により連結部Ｃ３の回りに回動変形可能になっている。この第１アーム７１、７１にこれより長い第２アーム７２、７２がそれぞれ同様に一体成形され、連結部Ｃ４の回りに回動変形可能になっている。本体７７が下方へ移動すると、連結部Ｃ４がそれぞれ外方へ突出するようになっている。第２アーム７２の先端に引掛部７３が設けられ、この引掛部７３は、アーム部が本体７７の側部に近付けられて折り畳まれた状態で、支持部材１４におけるロック用開口３１近傍の上縁に引っ掛けて本体７７を吊り下げる。
【００４０】
まず、組立手順としては、（ｂ）のように、保持・突出部７８のアーム部を折り畳んだ状態で、本体７７を支持部材１４のロック用開口３１へ挿入する。次いで（ｃ）のように、引掛部７３を支持部材１４の上縁に当接させて、本体７７を吊り下げる。こうしてロック部３０Ｃは予め支持具１０に組み立てられる。この状態で、幅狭の野縁３に対しては、（ｄ）のように、係止具１５Ｂにより支持部材１４を野縁３に取り付けた状態で、上記連結部Ｃ４は、本体７７の下方への移動により、上記第２、３脚８４、８５間に挿入されて接触して、外方に押圧する。（ｅ）のように、さらに、本体７７を下方へ移動させることにより、第１対の脚部の凸部８４ａ、８５ａをそれぞれ外方に押圧してロックする。また、本体７７の頭部７５の両側には突出部７９が設けられており、上記ロックの際、この突出部７９とロック用開口３１における支持部材１４の側縁と接触して、保持・突出部７８もロックされる。これにより、上記と同様に、幅狭の野縁３との係止をロックする。なお、幅広の野縁４に対しても同様に、第１対の脚部の凸部８４ａ、８５ａの押圧により、上記挿入接触部８２により接触した第１対の脚部と第２対の脚部が連動して第２対の脚部の凸部８３ａ、８６ａを外方に押圧し、幅広の野縁４との係止をロックする。
【００４１】
なお、この実施形態ではロック部３０Ｃを設けているが、ロック部３０Ｃを省略してもよい。その場合、挿入接触部８２も省略される。
【００４２】
なお、この実施形態では、係止具１５Ｂは、板材をコの字状に折り曲げた同一のものを２つ並べてなるが、図１２のように、係止具１５Ｃを、長手方向に長い外側のコの字状の部品９０と、その内側に収納される短いコの字状の部品９１で形成してもよい。この場合、ロック部が省略される。
【００４３】
なお、前記各実施形態では、天井据付機器として照明器具に適用しているが、スピーカ、煙探知器、スプリンクラーその他の設備用機器に適用してもよい。
【００４４】
【発明の効果】
以上のように、本発明によれば、野縁に対する支持部材の任意の係止位置で、支持部材に取り付けられた係止具を上方から単に押し込むだけで、支持部材を野縁に係止できるので、天井据付機器を容易かつ迅速に取り付けることができる。また、従来のように天井スラブや野縁受け材に依らずこれと別個独立に野縁のみを用いた支持具により、天井据付機器を取り付けできるので、内装設計の自由度も高くなる。
【図面の簡単な説明】
【図１】本発明の第１実施形態に係る天井据付機器用支持具による照明器具の取付状態を示す上方からの斜視図である。
【図２】同実施形態の正面図である。
【図３】同実施形態の支持具の斜視図である。
【図４】同実施形態の支持具の据付状態を示す正面図である。
【図５】第１実施形態の変形例を示す斜視図である。
【図６】ロック部を示す斜視図である。
【図７】ロック部の動作を示す正面図である。
【図８】第２実施形態に係る支持具を示す斜視図である。
【図９】同実施形態のロック部を示す正面図である。
【図１０】同実施形態のロック部の変形例を示す正面図である。
【図１１】第３実施形態に係る支持具の係止具を示す正面図である。
【図１２】同実施形態の係止具の変形例を示す正面図である。
【符号の説明】
３、４…野縁、９…天井据付機器、１０…天井据付機器用支持具、１４…支持部材、１５…係止具、１６…吊りボルト、３０…ロック部、３２…連結部、４２…脚接触部、６２…挿入接触部。
【図１】
2004044243.tif 000003
【図２】
2004044243.tif 000004
【図３】
2004044243.tif 000005
【図４】
2004044243.tif 000006
【図５】
2004044243.tif 000007
【図６】
2004044243.tif 000008
【図７】
2004044243.tif 000009
【図８】
2004044243.tif 000010
【図９】
2004044243.tif 000011
【図１０】
2004044243.tif 000012
【図１１】
2004044243.tif 000013
【図１２】
2004044243.tif 000014